(57)【特許請求の範囲】
【請求項１】
エンジン駆動の負荷（４）、特に自動車のための駆動装置であって、駆動方向において連続的にエンジン（１）と、入力シャフト（５ａ）と出力シャフト（５ｂ）を備えたトルクコンバータ（２）と、１次シャフト（３ｂ）と２次シャフト（３ｃ）とを備えた連続可変的なトランスミッション装置（３）とを有し、これらの間で摩擦力を利用してトルクを伝達することができる前記駆動装置において、
前記エンジン（１）と前記トルクコンバータ（２）との組み合わせによって前記トランスミッション装置（３）の前記１次シャフト（３ｂ）において発生することのできる公称的なトルク（ＴＰ、ｎｏｍ）が、前記トランスミッション装置（３）の最大滑りトルク（ＴＳ、ｍａｘ）より大きく、また、前記駆動装置にはトルクリミッター装置（６、８、９）が設けられており、これが該駆動装置の部品に作用して、運転中に前記エンジン（１）と前記トルクコンバータ（２）の組み合わせによって前記トランスミッション装置（３）の前記１次シャフト（３ｂ）において実際に発生するトルク（ＴＰ）が、ある画定された制限値（Ｔｇ）を越えることができず、および前記公称トルク転換ファクター（ｆ）の平方根を掛けた公称エンジントルクが、前記トランスミッション装置（３）の前記最大滑りトルク（ＴＳ、ｍａｘ）に実質的に等しくなるように、前記エンジン（１）と前記トルクコンバータ（２）が設計されていることを特徴とする駆動装置。
【請求項２】
前記制限値（Ｔｇ）は、少なくとも、前記トランスミッション装置（３）の１次シャフト（３ｂ）の停止状態からの回転数（ｎ）に依存しており、前記１次シャフト（３ｂ）の回転数（ｎ）が増加する場合には、前記制限値（Ｔｇ）が低下するようになっている請求項１に記載された駆動装置。
【請求項３】
連続可変的な前記トランスミッション装置（３）には１次シャフト（５ｂ）における１次プーリーと、２次シャフト（５ｃ）における２次プーリーと、該２つのプーリーの周りに配置された駆動ベルト（３ａ）とが設けられており、該プーリーの各々には、２つの円錐形のディスクが設けられており、少なくともそのうちの１つが移動装置によって軸線方向に移動することができ、該ディスクの間の前記駆動ベルト（３ａ）の半径方向の位置、従ってトランスミッション装置（３）の伝達比がある画定された領域の中で連続可変的に設定することができ、また駆動ベルトの最大滑りトルクが前記トランスミッション装置（３）の最大伝達可能なトルクの決定規準になっている請求項１または請求項２のいずれか１項に記載された駆動装置。
【請求項４】
前記駆動ベルト（３ａ）が実質的に金属でできており、前記制限値（Ｔｇ）が少なくとも、停止状態からの前記トランスミッション装置（３）の１次シャフト（３ｂ）の回転数（ｎ）に依存しており、該制限値（Ｔｇ）の変化が駆動ベルトの疲労曲線に関係している請求項３に記載された駆動装置。
【発明の詳細な説明】
【０００１】
【発明が属する技術分野】
本発明はエンジンによって駆動される負荷、特に自動車のための駆動装置において、駆動方向において連続的にエンジンと、入力シャフトと出力シャフトを備えたトルクコンバータと、１次シャフトと２次シャフトとを備えた連続可変的なトランスミッション装置とからなり、これらの間で摩擦力を利用してトルクを伝達することができる駆動装置に関するものである。
【０００２】
【従来の技術】
この種の駆動装置は欧州特許ＥＰ−Ａ−０、３２８、１６６から周知である。前記連続可変的なトランスミッション装置は駆動ベルト／プーリーから成るものであり、１次シャフトに配置された１次プーリーと、２次シャフトに配置された２次プーリーとを有している。トルクを伝達するためには、該プーリーの間に駆動ベルトが配置されている。各々のプーリーは２つの円錐形のディスクを有し、その内の少なくとも１つは移動装置によって軸線方向に移動させることができる。該移動自在のディスクの軸線方向位置が１次プーリーと２次プーリーのディスク間の駆動ベルトの半径方向位置を画定し、従ってトランスミッション装置の伝達比を決定する。２つのプーリーの移動装置を操作して、それらが互いに作用し合うことによって、駆動ベルトの半径方向位置と、ディスクが駆動ベルトに伝達する締付力との両方が制御される。
【０００３】
１次シャフトから２次シャフトへ向かう方向において、駆動ベルトによって伝達することのできる最大トルクは、最大許容締付力と伝達比に依存している。該最大許容締付力は駆動ベルトの材料特性とその設計とに依存する駆動ベルトの最大許容負荷によって制限される。該締付力と伝達されたトルクとの両方が駆動ベルトにおける全負荷となる。
【０００４】
もし駆動ベルトが金属でできている場合には、駆動ベルトの最大許容負荷は駆動ベルトの疲労曲線から得られることができる。該疲労曲線は駆動ベルトの最大許容負荷と駆動ベルトにおける負荷変化の回数との関係を示している。駆動ベルトにおける負荷変化の回数は駆動ベルトの回転数に比例し、従ってトランスミッション装置の１次シャフトの回転数にも比例している。後者の場合には、比例係数はトランスミッション装置の伝達比に依存する。駆動ベルトの回転数が増加すると、疲労曲線は最初は下降する特徴を呈する。この特徴は、次に最大許容負荷がほぼ一定の値、従って最少値に到達するまで平旦な状態になっている。
【０００５】
トランスミッション装置の各々の伝達比に対する駆動ベルトの回転数が駆動装置を用いている間は、一般的にかなり変化するので、駆動ベルトの最大許容負荷は伝達比にも依存する。駆動装置の使用寿命の間の駆動ベルトの総回転数は、該駆動装置を使用する場合の運転条件に依存する。従って、信頼性を保つために、既知の設計において実際に使用されている駆動ベルトの負荷は最大許容負荷よりかなり低い。
【０００６】
１次シャフトと２次シャフトとを有していて、それらの間で摩擦力によってトルクが伝達されるような連続可変的なトランスミッション装置において、もしその１次シャフトにおけるトルクがトランスミッション装置の最大伝達可能なトルクを越えると、駆動要素、例えばプーリーは被駆動要素、例えば駆動ベルトと共に回転することになるであろう。従って、最大伝達可能なトルクはトランスミッション装置の最大滑りトルクとして知られている。
【０００７】
既知の設計においては、駆動装置の規模は、駆動装置がトランスミッション装置の１次シャフトにおいて公称的に発生することのできるトルクが、トランスミッション装置の最大滑りトルクよりも常に小さくなるようなものとなる。ギヤ減速およびその類似物が存在する場合を除き、駆動装置によってトランスミッション装置の１次シャフトにおいて公称的に発生することのできるトルクは、公称的なエンジンのトルクにトルクコンバータのトルク転換ファクターを掛けた値にほぼ等しい。該公称的なエンジントルクはここではエンジンによって発生することのできる最大トルクとして画定され、トルクコンバータの公称的なトルク転換ファクターは、入力シャフトの回転数が零より大きく、出力シャフトの回転数が零に等しい場合のトルク転換ファクターとして画定される。公称的に発生することのできるこのトルクは、トルクコンバータの出力シャフトがロックされていて、エンジンへの燃料供給量が最大値になっている状態、いわゆる“完全失速”状態になっている場合のみ発生される。実際には、完全失速中のエンジンの回転数は、エンジンが公称エンジントルクを発生している時の回転数よりも通常は小さい。従って、エンジンは完全失速中の前記公称エンジントルクより幾分小さなトルクを発生する。しかしながら、普通は前記エンジントルクの差は極めて小さく、完全失速トルクは前記公称エンジントルクと前記公称トルク転換ファクターとの積にほぼ等しい。
【０００８】
【発明が解決しようとする課題】
既知の設計に関して欠点が存在する。第１に、駆動装置の規模がエンジンとトルクコンバータの組み合わせによって公称的に発生することのできるトルクに合わせるべきだとしているが、実際にはそんなトルクは通常の使用中には極めて例外的な状況の場合しか発生しないという点である。第２に、既知の設計においては、かなり変化し且つ従って予測し難い運転条件により、実際に採用されている駆動ベルトの負荷が最大許容負荷よりかなり小さいという点にある。
【０００９】
【課題を解決するための手段】
本発明の目的は、これらの欠点をなくし、あるいは少なくともそれらを実質的に克服し、もっと一般的には、改良された、あるいはそれにとって代わる駆動装置を提供することにある。本発明によると、このことは、該エンジンと該トルクコンバータとの組み合わせによってトランスミッション装置の１次シャフトにおいて発生することのできる公称的なトルクが、トランスミッション装置の最大滑りトルクより大きく、また、該駆動装置にはトルクリミッター装置が設けられており、これが駆動装置の部品に作用して、運転中にエンジンとトルクコンバータの組み合わせによってトランスミッション装置の１次シャフトにおいて実際的に発生するトルクが制限される駆動装置によって達成される。この場合には、該トルクはトランスミッション装置の最大滑りトルクに関係する値に制限される。好ましくは、駆動装置の規模は、スロットル全開加速中に、エンジンとトルクコンバータとの組み合わせによりトランスミッション装置の１次シャフトにおいて発生するトルクが、該最大滑りトルクにほぼ等しくなるようなものになる。このようにして、トルクが実際的にトルクリミッター装置によって制限される状態の数は最少に維持される。大まかな設計のやり方によると、スロットル全開加速中に発生するトルクは、公称トルク転換ファクターの平方根に公称エンジントルクを掛けた値にほぼ等しい。実際のトルク転換ファクターは出力シャフトの回転数が増加するにつれて減少するが、このことはトランスミッション装置の１次シャフトにおいて発生するトルクが負荷を加速している間は減少することを意味している。与えられた負荷の回転数においては、トルク転換ファクターは充分小さくて、エンジンとトルクコンバータとの組み合わせによって前記最大滑りトルクより大きなトルクを発生させることは不可能である。この時点においては、前記トルクリミッター装置はベルトの滑りの危険性のない非活性状態になる。本発明の特別な改良点によると、制限値は可変である。従って、該制限値は１あるいはそれ以上のパラメータの関数として設定することができる。適切なパラメータの例としては、周囲温度、トランスミッション装置の伝達比、エンジンの回転数  トランスミッション装置の１次シャフトの加速度、およびこのシャフトの回転数がある。もし該制限値が１次シャフトの回転数に依存している場合には、該制限値は駆動ベルトの回転数が増加している時には減少するようにして制御することができる。制限値の減少は駆動ベルトの疲労曲線に関係づけることができる。
【００１０】
本発明による駆動装置は該駆動装置を最適状態で使用することができるという利点を有している。該駆動装置は、該駆動装置に高出力のエンジン、および／または高トルク転換ファクターを有したトルクコンバータ、および／または低価格で生産することのできる連続可変的なトランスミッション装置が設けられているので、効率的に用いることができる。また、該設計は実際に使用される駆動ベルトの負荷と、駆動ベルトの最大許容負荷との差が減少され、トランスミッション装置の特性に関して有益であるという利点を有している。本発明による駆動装置を備えた自動車は、トランスミッション装置の１次シャフトに大きなトルクをかけることができ、および／またはトランスミッション装置の重量が軽くなるということによって、最適な動特性を示す。さらに、もし、より大きなトルク転換ファクターを有したトルクコンバータが採用されれば、駆動装置全体の伝達比の調節範囲が増大する。結果として、該トランスミッション装置は寸法を小さくすることができ、あるいは小さな回転数範囲を有したエンジンを採用することができる。さらに、もし本発明による対策が行われれば、エンジンとトルクコンバータとの組み合わせによって公称的に発生することのできるトルクに対する規模ではなく、かなり小さく選択することのできる発生トルクのための制限値に対する規模になっているので、トランスミッション装置はより安価な設計にすることができる。さらに、該駆動装置は、該駆動装置を備えた自動車を山岳領域で普通に使用するような、普通でない状態の場合でも、最適に機能し続けるであろう。
【００１１】
前記駆動装置を通常使用する時には、駆動ベルトはトランスミッション装置の２次シャフトの最小回転数と関係した伝達比において、相対的にほとんど回転しないことになる。この性質の伝達比は特に２次シャフトの加速中と、前記“完全失速”中において用いられる。この場合には、１次シャフトにおけるトルクが最大値に到達するので、本発明によると、エンジンとトルクコンバータとの組み合わせによって実際に１次シャフトにおいて発生することのできるトルクは、好ましくは、トランスミッション装置が２次シャフトの最小可能回転速度に関係した伝達比に設定されている時の、トランスミッション装置の最大滑りトルクに関係した値に制限される。
【００１２】
本発明によると、トルクリミッター装置は駆動装置の中でクラッチを有していてもよく、これはエンジンとトルクコンバータとの組み合わせによってトランスミッション装置の１次シャフトにおいて発生されるトルクが前記制限値を越す前に滑り出すように制御される。
【００１３】
前記トルクリミッター装置はまたトルクコンバータのトルクコンバータロックアップクラッチを有していてもよい。該トルクコンバータロックアップクラッチをより大きくあるいはより小さく閉じることにより、１次シャフトのトルクを増大させることなしに、より大きい比率あるいはより小さい比率の瞬時エンジントルクが発生される。残りのエンジントルクは１次シャフトのトルクを増大させるトルクコンバータによって発生される。このことによって、トランスミッション装置の１次シャフトに発生することのできるトルクを、前記瞬時エンジントルクと、このトルクに瞬時トルク転換ファクターを掛けた値との間の値に調節することが可能となる。
【００１４】
調節可能なインペラおよび／またはタービンを有したトルクコンバータを用いる時には、前記トルクリミッター装置は調節機構に作用し、もってトルクコンバータのトルク転換ファクターに影響を与える。トルク転換ファクターを減少あるいは増加させることにより、瞬時エンジントルクはより小さいファクターあるいはより大きなファクターによって増大される。このようにして、トランスミッション装置の１次シャフトにおいて発生することのできるトルクを、瞬時エンジントルクに、一方では、調節可能な最小トルク転換ファクターを掛けた値と、他方では、調節可能な最大トルク転換ファクターを掛けた値との間の値に調節することが可能となる。
【００１５】
本発明によると、前記トルクリミッター装置はエンジンへの燃料供給量に作用することができ、該エンジンによって発生されるトルクに影響を受ける。燃料供給量は、エンジンとトルクコンバータとの組み合わせによってトルクコンバータの１次シャフトにおいて発生するトルクが制限値を越えないように制御される。
【００１６】
欧州特許ＥＰ−Ａ−０、４４６、９４７が、駆動装置の中に制御装置が収納され、該制御装置がトランスミッション装置の１次シャフトにおける最大トルクを調節するような装置を開示していることに注意すべきである。この明細書から知られる装置は、トランスミッション装置を、駆動装置の中で駆動方向とは逆方向に進行していくトルクの変動に対して、保護することを目的としている。該制御装置は油圧作動するディスククラッチとして設計されている。ディスククラッチが作動される時の油圧圧力の値は、該クラッチによって伝達される最大トルクに影響を与える。さらに、米国特許ＵＳ−Ａ−５、０４２、３２５が連続可変的なトランスミッション装置を開示していて、そこでは伝達流体の油圧圧力が損失したような緊急状態の時には、トランスミッション装置の１次シャフトにおいて発生されるトルクが電子エンジン制御装置によって制限される。しかしながら、前記２つの既知装置は余り大き過ぎるトルクがトランスミッション装置の中に入り込むのを防ぐことを目的としており、それによって駆動装置が予測不可能な状態になるのを防いでいる。しかしながら、本発明は駆動装置の全体特性を改良することを目的としている。さらに、本発明はエンジンと、トランスミッション装置の最大滑りトルクよりも大きなトルクを公称的に発生することのできるトルクコンバータとの組み合わせを利用することができるという点において既知の装置とは異なっている。
【００１７】
本発明によると、前記トルクリミッター装置は部分的あるいは全体的にエンジン制御装置の中、およびトランスミッション装置制御装置の中へ一体化されていてもよく、あるいはもしこれらの２つが一体化された制御装置として設計されている場合には、駆動装置の制御装置の中へ組み込まれる。
【００１８】
本発明は以下の図面を参照しながら、非限定的な例示的実施例の形で、より詳細に説明することにする。
【００１９】
【発明の実施の形態】
図１に示された駆動装置は、エンジン１と、トルクコンバータ２と、１次シャフト３ｂと第２シャフト３ｃを備えた連続可変トランスミッション装置３と負荷４とを有する。前記負荷４は自動車の被駆動車輪として示されている。例示的な実施例を単純化するために、該駆動装置には付加的な減速ギア（reduction ）は組み込まれていない。エンジン１のクランクシャフトはトルクコンバータ２の入力シャフト５ａに連結されている。従って、エンジンの回転数（Ｎe ）はトルクコンバータの入力シャフト５ａの回転数（Ｎi ）に等しい。該トルクコンバータ２はトランスミッション装置３の１次シャフト３ｂに連結された出力シャフト５ｂを有している。従って、トルクコンバータの出力シャフト５ｂの回転数（Ｎu ）は１次シャフト３ｂの回転数（Ｎp ）に等しい。（Ｎe ）と（Ｎi ）が等しく、また（Ｎe ）と（Ｎp ）が等しいので、問題にしている回転数は以下単にそれぞれ（Ｎe ），（Ｎp ）と称することにする。トランスミッション装置３の２次シャフト３ｃはシャフト５ｃを介して負荷４に連結されている。
【００２０】
トルクリミッター装置６、８、９は電子回路を含むように設計されており、シャフト５ａの回転数、即ち、（Ｎe ）とシャフト５ｂの回転数、即ち（Ｎp ）とをそれぞれ検出するための測定装置８ｂと８ｃを有している。該トルクリミッター装置６、８、９はまたアクセルペダル１０の姿勢（α）を検出するための測定装置８ａを有している。アクセルペダル１０の姿勢（α）はエンジン１への燃料供給量（β）を画定し、従ってトルクコンバータ２の入力シャフト５ａにおいてエンジン１によって生じるトルクを画定する。前記３つのパラメータを測定するためのセンサーは既に従来型の駆動装置において存在し、従って問題にしている信号は容易に得ることができる。トルクリミッター装置６、８、９はさらに信号処理装置６を有し、これは図においては電子制御装置あるいはＥＣＵとして示されている。アクチュエータ９を介して、前記トルクリミッター装置６、８、９はエンジン１への燃料供給量（β）を制限することができ、従ってエンジン１によって発生されるトルク（Ｔm ）を制限することができる。この例においては、前記アクチュエータ９はスロットル弁７の開度を制御し、該スロットル弁はエンジン１への燃料供給量（β）を決定する。
【００２１】
前記トルクリミッター装置６、８、９がスロットル弁７の開度の適当な値を決定するという事実によって、１次シャフト３ｂに発生するトルク（Ｔp ）がトランスミッション装置３の最大滑りトルク（Ｔs ）を越えないことが保証される。
【００２２】
前記信号処理装置６の実施例が図２に図式的に示されている。該信号処理装置６はブロック６ａからブロック６ｅまでによって示されるように、多数の機能を満たしている。ブロック６ａはエンジンの特性曲線を示しており、エンジン１によって発生されるトルク（Ｔm ）はエンジンの回転数（Ｎe ）とアクセルペダル１０の姿勢（α）の関数として確立される。エンジンの回転数（Ｎe ）とアクセルペダル１０の姿勢（α）を表す測定信号によって、エンジン１によって発生されるトルク（Ｔm ）がブロック６ａにおいて決定される。ある種の場合には、このトルクを表す信号はエンジン制御装置から直接得ることができる。ブロック６ｂはトルクコンバータ２の代表的な特性を示しており、該ブロック６ｂにおいてトルク転換ファクター（ｆ）は、入力シャフト５ａの回転数（Ｎe ）をトルクコンバータ２の出力シャフト５ｂの回転数（Ｎp ）で割ったものの関数として確立される。エンジンの回転数（Ｎe ）とトランスミッション装置３の１次シャフト３ｂの回転数（Ｎp ）とを表す測定信号によって、トルクコンバータ２のトルク転換ファクター（ｆ）がブロック６ｂにおいて確立される。ブロック６ｃにおいては、１次シャフト３ｂにおいて発生するトルク（Ｔp ）が、エンジン１によって発生されるトルク（Ｔm ）とトルク転換ファクター（ｆ）とによって決定されることが示されている。ブロック６ｄにおいては、１次シャフト３ｂにおいて発生するトルク（Ｔp ）が出力（Ｙ）、（Ｎ）を用いてそのトルクの制限値（Ｔg ）と比較される。もし１次シャフト３ｂに発生するトルク（Ｔp ）が制限値（Ｔg ）を越えていなければ、エンジン１によって発生されるトルク（Ｔm ）は、出力（Ｎ）を経て、１次シャフト３ｂに発生するトルク（Ｔp ）をトルク転換ファクター（ｆ）で割ったものに等しくされる。もし１次シャフト３ｂに発生するトルク（Ｔp ）が制限値（Ｔg ）に等しいかあるいはそれ以上である場合には、エンジン１によって発生されるトルク（Ｔm ）は、出力（Ｙ）を経て、該制限値（Ｔg ）をトルク転換ファクター（ｆ）で割ったものに等しくされる。最後に、ブロック６ｅにおいては、エンジン１によって発生されるトルク（Ｔm ）と、エンジンの回転数（Ｎe ）と、エンジンの特性曲線を用いて、エンジン１によって発生されるトルク（Ｔm ）がエンジンの回転数（Ｎe ）と燃料供給量（β）の関数として確立され、適正な燃料供給量（β）が画定される。
【００２３】
図２に示した例示的な実施例において、代表的なエンジン特性曲線とトルクコンバータの特性とが電子メモリーの中に記憶される。更に詳しくは、前記代表特性はアルゴリズム的あるいは油圧的、あるいは機械的な形態として記憶してもよい。ある種の場合には、エンジン１によって発生されるトルク（Ｔm ）を表す信号は、（電子的な）エンジン制御装置から得ることができる。また、１次シャフト３ｂにおいて発生するトルク（Ｔp ）を、トルクコンバータ２の出力シャフト５ｂにおけるトルクメーターによって、直接、画定することも可能である。
【００２４】
図３はトルク（Ｔ）を縦軸に、回転数（Ｎ）を横軸に取ったグラフを示している。点線の曲線１１、１２は従来技術による駆動装置に関する、エンジン１とトルクコンバータ２との組み合わせによって１次シャフト３ｂにおいて発生するトルク（Ｔp ）と、該シャフト３ｂの回転数（Ｎp ）との関係を示している。駆動装置が“完全失速（full stall）”の状態から加速する場合、即ち、トルクコンバータ２の出力シャフト５ｂがロックされていて、同時にエンジン１への燃料供給量（β）が最大値になっている場合には、１次シャフト３ｂにおいて発生するトルク（Ｔp ）は曲線１１に追従するであろう。この場合には、トランスミッション装置３の規模はトランスミッション装置３の最大滑りトルク（Ｔs ，max ）が１次シャフト３ｂにおいて公称的に発生するトルク（Ｔp , nom ）と少なくとも等しくなるようなものとなる。駆動装置の定常状態、即ち、出力シャフト５ｂがロックされていない状態から加速する場合には、トランスミッション装置３の１次シャフト３ｂにおいて発生するトルク（Ｔp ）は曲線１２に追従する。前記定常状態から加速する場合には、トランスミッション装置３は最適には使用されないという結果になる。
【００２５】
本発明は、増大したトルク転換ファクター（ｆ）を有したトルクコンバータ２を使用することができるように電子回路や測定装置および制御装置を用いることによって、この性質の最適利用を達成することを目的としている。前記曲線１３、１４は“完全失速”の状態から加速している間の、トランスミッション装置３の１次シャフト３ｂにおいて発生するトルク（Ｔp ）のプロファイル（profile ）を示している。本発明によるトルクリミッター装置６、８、９がなければトランスミッション装置３の１次シャフト３ｂにおいて発生するトルク（Ｔp ）は破線で示した曲線１５に追従するであろう。この状態は、１次シャフト３ｂにおいて公称的に発生し得るトルク（Ｔp , nom ）が、トランスミッション装置３の最大滑りトルク（Ｔs , max ）を越えるので、望ましくない。もし前記駆動装置に本発明によるトルクリミッター装置６、８、９が設けられておれば、トランスミッション装置３の１次シャフト３ｂにおいて発生するトルク（Ｔp ）は制限されて、該トルクは曲線１３に追従することになる。図３に関して言うと、該トルクのための制限値（Ｔg ）は一定である。該制限値（Ｔg ）はトランスミッション装置３の最大滑りトルク（Ｔs , max ）に関係しており、従って、エンジン１とトルクコンバータ２との組み合わせによって１次シャフト３ｂにおいて発生するトルク（Ｔp ）は最大滑りトルク（Ｔs , max ）を越えることができない。結果として、駆動装置の規模は、定常状態からの加速時において、トランスミッション装置３の１次シャフトにおいて発生する最大トルク（Ｔp ）が、最大滑りトルク（Ｔs , max ）に等しくなるようなものとすることができる。本発明による制御装置６、８、９を設けた駆動装置における定常状態からの加速は曲線１４によって示されている。加速中は、この種の駆動装置は、従来技術による同等な駆動装置よりも、相当高いトルクを提供することができる。本発明による駆動装置の動特性もこれに対応してより優れたものである。
【００２６】
図４はトルク（Ｔ）を縦軸に、時間（ｔ）を横軸に取ったグラフを示している。従来技術による駆動装置の場合について、曲線１６は、エンジン１とトルクコンバータ２との組み合わせによって１次シャフト３ｂによって発生するトルク（Ｔp ）と、“完全失速”の状態から１次シャフト３ｂを加速している間の時間（ｔ）との関係を示している。もし前記駆動装置に本発明によるトルクリミッター装置６、８、９が設けられておれば、１次シャフト３ｂにおけるトルク（Ｔp ）は、１次シャフト３ｂにおいて実際的に発生するトルク（Ｔp ）が曲線１７に追従するようにして、制限することができる。制限値（Ｔg ）は点と破線の線１８によって示されており、これは挿入図として示した駆動ベルト３ａの疲労曲線に関係している。駆動ベルト３ａの回転数（ｎ）は、時間（ｔ）と、１次シャフト３ｂの回転数（Ｎp ）との積に、直接、比例し、その比例定数はトランスミッション装置３の伝達比に依存する。
【００２７】
時間（ｔ1 ）の加速開始時においては、制限値（Ｔg ）は（Ｔg,n1）に等しく、この（Ｔg,n1）は駆動ベルト３ａの低回転数（ｎ）における最大ベルト負荷に関係するものである。駆動ベルト３ａの回転数（ｎ）は時間（ｔ）に対して比例的に増加するので、駆動ベルト３ａに関する最大許容負荷は、駆動ベルト３ａの疲労曲線に従って低下する。前記制限値（Ｔg ）は該最大許容負荷を越えないように、トルクリミッター装置６、８、９によって調節される。時間（ｔ2 ）においては（Ｔp ）は（Ｔg ）と等しくなり、それ以降はトルクリミッター装置は駆動装置の部品に対してはもはや作動しなくなる。
【図面の簡単な説明】
【図１】本発明による駆動装置の実施例を示す図。
【図２】信号処理装置の実施例の図式図。
【図３】本発明によるトルクリミッター装置を設けた駆動装置に関して、１次シャフトにおけるトルクを、停止状態からの加速時の該シャフトの回転速度の関数として曲線で概略的に示したグラフ。
【図４】本発明によるトルクリミッター装置を設けた駆動装置に関して、１次シャフトにおけるトルクを、“完全失速”のための時間の関数として曲線で概略的に示したグラフ。
【符号の説明】
１  エンジン
２  トルクコンバータ
２ａ  ロックアップクラッチ
３  トランスミッション装置
３ａ  駆動ベルト
３ｂ  １次シャフト
３ｃ  ２次シャフト
４  負荷
５ａ  入力シャフト
５ｂ  出力シャフト
５ｃ  ２次シャフト
６  信号処理装置
８  測定装置
９  アクチュエータ
１０  アクセルペダル
Ｔp   トルク
Ｔm   エンジントルク
Ｔs   滑りトルク
Ｔg   制限値
ｆ  トルク転換ファクター
Ｎe   エンジン回転数
Ｎp   出力シャフトの回転数
ｎ  １次シャフトの回転数
α  ペダルの位置
β  燃料供給量
【図１】
0004445051.tif 000002
【図２】
0004445051.tif 000003
【図３】
0004445051.tif 000004
【図４】
0004445051.tif 000005